(57)【要約】【課題】従来では、接続端子からデータ駆動回路までのデータ線の配線長さの差によって、データ線間で位相差ないし時間差が生じ、表示品質が低下するという課題があった。【解決手段】マトリックス駆動を行うマトリックス光学装置において、データ駆動回路に外部より画素データを供給する接続端子群を設け、接続端子群からデータ駆動回路に画素データを伝送する複数の配線を備え、接続端子群における両端の端子と接続する配線を順に接続端子群の中央位置近傍に引き回す引回部と接続端子群の中央位置近傍のターミナル部とを配置した。【選択図】図１
2014191174.tif 000002
【特許請求の範囲】
【請求項１】
行方向のゲート線と列方向のデータ線とをマトリックス状に配置し、前記ゲート線と前記データ線との交点位置に画素を配置した基板と、前記ゲート線を駆動するゲート駆動回路と前記データ線を駆動するデータ駆動回路とによりマトリックス駆動を行うマトリックス光学装置において、
前記データ駆動回路に外部より画素データを供給する接続端子群を設け、前記接続端子群から前記データ駆動回路に画素データを伝送する複数の配線を備え、
前記接続端子群の端子と接続する前記配線を前記接続端子群における両端から順に前記接続端子群の中央位置近傍に引き回す引回部と、
前記接続端子群の中央位置近傍のターミナル部と、
を経由して、前記複数の配線からなる配線群が配置されていることを特徴とするマトリックス光学装置。
【請求項２】
前記接続端子群を第１端子群と第２端子群とに分割し、前記基板の前記データ駆動回路が配置された辺側に前記第１端子群を配置し、前記データ駆動回路の配置された辺側に直交する辺に前記第２端子群を配置し、
前記第１端子群の中央位置近傍で前記ターミナル部に対応する第１ターミナル部を経由した配線群と、
前記第２端子群の中央位置近傍で前記ターミナル部に対応する第２ターミナル部を経由した配線群とが、第３ターミナル部を経由して、前記データ駆動回路に接続するように前記配線群を配置したことを特徴とする請求項１記載のマトリックス光学装置。
【請求項３】
前記第３ターミナル部は前記第１ターミナル部と第２ターミナル部との中間位置近傍に設けたことを特徴とする請求項２記載のマトリックス光学装置。
【請求項４】
前記マトリックス光学装置は、シリコン基板を用いた液晶光学装置であることを特徴とする請求項１〜３の何れか１項に記載のマトリックス光学装置。
【請求項５】
前記ターミナル部には、バッファー回路が設けられていることを特徴とする請求項１〜４の何れか１項に記載のマトリックス光学装置。
【発明の詳細な説明】
【技術分野】
【０００１】
本発明は、ゲート線とデータ線とを備えたマトリックス駆動方式の表示デバイスや、同方式の表示デバイスを用いた投射型または反射型の映像描画システムなどの光学装置に関する。
【背景技術】
【０００２】
従来、表示装置の代表例として、ゲート線とデータ線とによってマトリックス状に配置された画素をスイッチング素子で駆動するいわゆるアクティブマトリックス駆動方式の液晶光学装置が知られている。
【０００３】
アクティブマトリックス駆動方式の液晶光学装置用において、特に高精細の画像を表示する場合などでは各画素への表示データの書き込みタイミングのずれによって、表示品質が低下することから、このずれを解消する技術が提案されている。（例えば特許文献１および特許文献２）
【０００４】
（従来技術１）
図７を用いて特許文献１に示された技術を説明する。図７は特許文献１に示されたドットマトリックス表示装置の構成例を示す平面図であり、特許文献１に記載された発明の主旨を失わない範囲で簡略化してある。
【０００５】
図７は、ドットマトリックス駆動方式の表示デバイス１０の表示領域を例えば表示領域１Ａと表示領域１Ｂとに分割し、接続端子群ＰＤから各領域に表示データを伝送している図を示している。この接続端子群ＰＤから引き出される一部の配線は、ゲート線駆動回路ＧＤに入力され、表示領域のゲート線を走査する。接続端子群ＰＤから引き出されるデータ用配線は、データ線駆動回路ＤＤへ供給され、表示データを画素へ出力する。図７では、データ用配線群８Ａとデータ用配線群８Ｂの配線レイアウトを、表示領域１Ａおよび表示領域１Ｂの分割境界線１Ｃを中心にして対象に配置させることによって、少なくともこの分割境界線１Ｃを挟んで隣り合う画素ＧＰへの表示データの書き込みを同一タイミングで行わせるものである。
【０００６】
（従来技術２）
次に図９を用いて特許文献２に示された技術を説明する。図９は特許文献２に示された液晶光学装置の、画素アレイＧＡ周囲でのデータ線用の配線を概略的に示す平面図であり、クロック信号ＳＣＫ１およびＳＣＫ２は、配線１と２によってデータ線駆動回路ＳＤ１とＳＤ２に入力される。しかし、入力側に近いデータ線駆動回路ＳＤ１につながる配線２と、遠いデータ線駆動回路ＳＤ２につながる配線１とでは、配線負荷が異なるため、クロック信号ＳＣＫ１とＳＣＫ２とで信号遅延量に差が出てしまい、表示品質が低下するという問題が発生する。
【０００７】
そこで、単独でデータ線駆動回路ＳＤ１に入力される第２のクロック信号ＳＣＫ２用の配線２にダミー配線３を設けて、データ線駆動回路ＳＤ１とデータ線駆動回路ＳＤ２の双方に入力される第１のクロック信号ＳＣＫ１用の配線１と、データ線駆動回路ＳＤ１に単独で入力される第２のクロック信号ＳＣＫ２用の配線２との配線負荷を揃え、引き回しの違いによる影響を低減するものである。
【先行技術文献】
【特許文献】
【０００８】
【特許文献１】特開２００５−１８９７５８号公報（請求範囲、図１）
【特許文献２】特許第３６６６６６２号明細書（請求範囲、図１）
【発明の概要】
【発明が解決しようとする課題】
【０００９】
しかしながら、図７に示す特許文献１に公開された技術は、接続端子群ＰＤから表示領域１Ａまたは表示領域１Ｂに至る経路において、データ用配線群８Ａおよびデータ用配線群８Ｂの各配線間で、配線の長さの差が生じる。
【００１０】
図８を用いてさらに詳述する。図８は、図７の表示領域１Ｂにおける、接続端子群ＰＤから表示領域１Ｂまでのデータ用配線の引き回しを拡大して示した図である。データ用配線群８Ｂを構成するデータ用配線ｄｓ〜ｄｅを詳細に示している。表示領域１Ｂに至るデータ用配線群８Ｂの途中の位置を中継点Ｃとする。
【００１１】
接続端子群ＰＤから引き出されている位置によって、それぞれのデータ用配線ｄｓ〜ｄｅの配線長が異なってしまう。つまり、データ用配線ｄｓとデータ用配線ｄｅでは、中継点Ｃまでの間に２Ｌ（後述する図３（ｂ）参照）の配線長さの差が生じてしまい、この配線長さの差によってデータ用配線間で位相差ないし時間差が生じ、表示品質が低下する原因になる。特に画素数が多い高精細な光学装置の場合には、接続端子数及びデータ用配線が多くなり、接続端子群の横方向の長さが長くなるため、各データ用配線の配線長の差が顕著に表れる。
【００１２】
また図９に示す特許文献２に公開された技術は、配線１〜２間の負荷容量や配線抵抗のアンバランス分を、ダミーパターンによって正確に補償しなくてはならないが、パターン形状やダミーパターンと基準電位パターンとの間の誘電層の特性などを総合的に勘案し設計・試作し検証して修正トリミングをおこなわなくてはならず、正確に補償することは困難であった。
【課題を解決するための手段】
【００１３】
本発明のマトリックス光学装置は、上記課題を解決するため下記構成とする。
すなわち、行方向のゲート線と列方向のデータ線とをマトリックス状に配置し、ゲート線とデータ線との交点位置に画素を配置した基板と、ゲート線を駆動するゲート駆動回路とデータ線を駆動するデータ駆動回路とによりマトリックス駆動を行うマトリックス光学装置において、データ駆動回路に外部より画素データを供給する接続端子群を設け、接続端子群からデータ駆動回路に画素データを伝送する複数の配線を備え、接続端子群の端子と接続する配線を接続端子群における両端から順に接続端子群の中央位置近傍に引き回す引回部と、接続端子群の中央位置近傍のターミナル部とを経由して、複数の配線からなる配線群が配置されていることを特徴としている。
【００１４】
これにより、各データ線の長さの差が減少し、画素データ間の位相差ないし時間差を許容な範囲内に収めることできる。その結果画素データの各画素への書き込み動作が正確に行われ、表示品質を良好に保つことが可能となる。
【００１５】
また、データ駆動回路に外部より画素データを供給する接続端子群を、第１端子群と第２端子群とに分割すると共に、基板のデータ駆動回路が配置された辺側に第１端子群を配置し、データ駆動回路の配置された辺側に直交する辺に第２端子群を配置し、第１端子群の中央位置近傍でターミナル部に対応する第１ターミナル部を経由した配線群と、第２端子群の中央位置近傍でターミナル部に対応する第２ターミナル部を経由した配線群とがまとまって、第３ターミナル部を経由して、データ駆動回路に接続するように配線群を配置してもよい。
【００１６】
これにより、各データ線のゲート駆動回路に至る経路が一様化してデータ線間の長さの差が減少し、画素データの各画素への書き込み動作が正確に行われ、表示品質を良好に保つことが可能となる。
【００１７】
また第３ターミナル部は第１ターミナル部と第２ターミナル部との中間位置近傍に設けることが望ましい。
【００１８】
これにより第一ターミナルと第二ターミナルからの各々の配線群の長さの差が減少し、画素データの各画素への書き込み動作が正確に行われ、表示品質を良好に保つことが可能となる。
【００１９】
またマトリックス光学装置は、シリコン基板を用いた液晶光学装置であることが望ましい。これによりシリコントランジスタ基板に構成された液晶マトリックスを用いて高品質の光学装置が実現できる。
【発明の効果】
【００２０】
本発明によれば、マトリックス駆動方式の表示デバイスにおいて各データ線の長さの差によって生じる表示品質の低下の課題も克服され、画素数の多い高精細な光学装置であっても、高品質な光学装置を実現することが可能になる。
【図面の簡単な説明】
【００２１】
【図１】本発明のマトリックス光学装置の第１の実施形態の構成を示す平面図である。
【図２】図１の部分的な構成を示す平面図である。
【図３】本発明のマトリックス光学装置の第１の実施形態の効果を示す平面図である。
【図４】本発明のマトリックス光学装置の第２の実施形態の構成を示す平面図である。
【図５】図４に示すマトリックス光学装置の単個の製造方法を示す平面図である。
【図６】図４に示すマトリックス光学装置の多数個とりによる製造方法を示す平面図である。
【図７】従来例のドットマトリックス表示装置の構成例を示す平面図である。
【図８】図７の部分的な構成を示す平面図である。
【図９】従来例の液晶光学装置のデータ線の配線を概略的に示す平面図である。
【図１０】一般的な液晶光学装置の基本的構造を示す等価回路図である。
【発明を実施するための形態】
【００２２】
以下、本発明の最良の実施形態であるマトリックス光学装置について、図面を参照して構造を詳述する。
【実施例１】
【００２３】
[第１の実施形態の説明：図１〜図３、図１０]
図１〜図３および図１０を用いて、本発明の第１の実施形態であるマトリックス光学装置５０の構造および構成を説明する。図１は構造および構成を示す平面図であり、図２は図１の部分的な構成を示す平面図であり、図３は効果を示す平面図であり、図１０は液晶光学装置の基本的構造を示す等価回路図である。本実施の形態ではマトリックス光学装置として、アクティブマトリックス型の液晶光学装置を例示するが、液晶光学装置以外にも、ＥＬ（Ｅｌｅｃｔｒｏ−Ｌｕｍｉｎｅｓｃｅｎｃｅ）表示装置、プラズマ発光体表示装置などを用いても実現可能である。
【００２４】
（液晶光学装置の一般的説明）
初めに図１０を用いて、アクティブマトリクス型の液晶光学装置の基本的構造を説明する。図１０において、液晶光学装置の表示パネル部２０１は、下基板１００上に、液晶の配向特性を利用し映像やデータ類の表示を行う画素ＧＳが２次元配列（例えばｎ行×ｍ列に配列）されている。
【００２５】
これらｎ×ｍ個の画素ＧＳを駆動するために、ゲート駆動回路３００と画素ＧＳに書き込む画素データを制御するデータ駆動回路４００とが備えられている。さらに外部回路（図示せず）からの制御信号ｓｂを、ゲート駆動回路３００とデータ駆動回路４００とに供給するため接続端子群ＰＤが備えられている。
【００２６】
さらに画素ＧＳに書き込む画素データを制御するため、行方向と列方向に互いに直交するように配設された複数のゲート線ｇと複数のデータ線ｄとが備えられている。
【００２７】
また各画素ＧＳは、ゲート線ｇからのゲート信号によってデータ線ｄからの表示データをスイッチングするトランジスタＴＦＴと、画素ＧＳに共通に設けられた共通電極（図示せず）と画素電極との間に蓄蔵された液晶分子の等価容量Ｃｅと、この等価容量Ｃｅに並列に構成され、等価容量Ｃｅに印加された信号電圧を保持するための記憶容量Ｃｍとを備えている。
【００２８】
このような構成を有する表示パネル部２０１において、外部回路（図示せず）から供給される１行分の画素に対応した表示データがデータ駆動回路４００に順次記憶される。一方、外部回路（図示せず）から供給される制御信号ｓｂはゲート駆動回路３００を通じてゲート線ｇを順次駆動し、各行の画素ＧＳのトランジスタＴＦＴをオン状態にして表示データを取り込み可能な選択状態に設定する。
【００２９】
そしてこの各行の画素ＧＳ群の選択タイミングに同期して、各データ線ｄにより、表示データを各々の画素ＧＳに一斉に供給し、液晶分子がこの画素データ電圧に応じて配向状態を変化させて所定の階調表示動作が行われることによって、画像情報が表示パネル部２０１に表示される。
【００３０】
このとき、制御信号ｓｂを供給する配線の長さが、接続端子群ＰＤから引き出される位置によって異なるため、位相差ないし時間差があり、画素に印可されるタイミングがずれると表示品質の低下を生じる。本発明はこの問題を解決するものである。
【００３１】
（本発明のマトリックス光学装置の構造説明）
図１、図２を用いて本発明のマトリックス型光学装置の第１の実施形態の構成を説明する。図１は本発明のマトリックス型光学装置である液晶光学装置の構成を示す平面図である。また図２は図１の部分的な構成を示す平面図である。
【００３２】
図１において、液晶光学装置５０は、ドットマトリックス液晶表示素子により構成された光学部２００と、下基板１００と、下基板１００上に構成されたゲート駆動回路３００と、データ駆動回路４００と、配線群ＨＢとから構成される。配線群ＨＢ３は、太線で図示したが、複数のデータ用配線を簡略して示すものである。
【００３３】
光学部２００は、下基板１００の上にガラス基板を配し、基板1００とガラス基板との間に液晶を注入することによって、マトリックス状の画素を構成している。下基板１００は、本実施例ではシリコンを用いており、光学装置として一般にＬＣＯＳと称されている。
【００３４】
図１に示す様に実施例においては、行および列は各々１０５０区画からなり、画素数１０５０×１０５０ピクセル（Ｐｉｘｅｌｓ）のとして構成されている。
【００３５】
接続端子群ＰＤは外部より画素データ及びコントロール信号を供給するための接続端子群である。本実施例においては、外部機器（図示せず）からの画素データ及びコントロール信号が、２１０本のデータ用配線ｄ１〜ｄ２１０（以降データ用配線ｄｎと略記する）と、データコントロール線ｄｃと、ゲート線ｇｃに入力される。
【００３６】
それぞれのデータ用配線ｄｎは、引回部ｈｍを経て接続端子群ＰＤの中央部ＰＤＣの近傍に設けられたターミナル部Ｔに集結され、さらにターミナル部Ｔから配線群ＨＢとしてまとめられて、データ駆動回路４００に入力される。
【００３７】
図１に示す様に、ターミナル部Ｔとは引回部ｈｍを経て引き回された全ての配線を、接続端子群ＰＤの中央位置近傍でまとめたものである。また引回部ｈｍにおいては、接続端子群ＰＤの全ての配線は、接続端子群ＰＤの端部から順に接続端子群ＰＤの略中央部ＰＤＣに引き回され、かつ引回部ｈｍにおける全ての配線は、接続端子群ＰＤの中央部ＰＤＣに対して、左右対称に形成されている。
【００３８】
またデータコントロール線ｄｃは後述するデータ駆動回路４００の制御回路ＳＧに入力され、さらにゲート線ｇｃはゲート駆動回路３００に入力され、光学部２００への画素データの書き込みタイミングを制御する。
【００３９】
データ駆動回路４００は、データ用配線ｄｎを、光学部２００に定められたタイミングで供給するための、５個のトランスミッションゲート（Ｔｒａｎｓｍｉｓｓｉｏｎ  Ｇａｔｅ）ＴＧ１〜ＴＧ５と、トランスミッションゲートの各々にデータ用配線ｄｎの２１０個のデータ信号を一括して書き込むタイミングをコントロールする５個の制御回路ＳＧを備えている。
【００４０】
ゲート駆動回路３００は、データ駆動回路４００から供給される２１０（データ用配線の本数）×５（トランスミッションゲートの数）＝１０５０点の画素データを、光学部２００の１０５０行への書き込みを制御するためのゲート駆動回路であって、ゲート線ｇｃによって１０５０点の画素データを光学部２００の定められた行に一括して書き込む。
【００４１】
本実施形態におけるマトリックス光学装置５０では、接続端子群ＰＤから引き出された引回部ｈｍの２１０本のデータ用配線は全て接続端子群ＰＤの中央位置近傍のターミナル部Ｔに集結されるので、各データ用配線の長さの差は、図１に“Ｌ”と示すデータ用配線領域Ｐｄ１の長さを上回らない。
【００４２】
図２を用いてさらに詳述する。図２は、図１に示した接続端子群ＰＤと、引回部ｈｍと、ターミナル部Ｔと、配線群ＨＢとを部分的に拡大した平面図である。
【００４３】
図２に示す様に、接続端子群ＰＤは中央部ＰＤＣの両側にデータ用配線領域Ｐｄ１とデータ用配線領域Ｐｄ２とを備え、データ用配線領域Ｐｄ１とデータ用配線領域Ｐｄ２とから、各々データ用配線ｄ１〜ｄ１０５およびデータ用配線ｄ１０６〜ｄ２１０とが導出され、中央部ＰＤＣ近傍に設けられたターミナル部Ｔに集結され、さらに２１０本のデータ用配線ｄｎはターミナル部Ｔから配線群ＨＢにまとめられデータ駆動回路４００に入力される。また引回部ｈｍは、接続端子群ＰＤの中央部ＰＤＣに対称に形成されている。
【００４４】
図２に示す様にデータ用配線ｄ１〜ｄ１０５の配線長さの差は、最大Ｐｄ１の寸法であ
り、すなわちＬを上回らない。同様にデータ用配線ｄ１０６〜ｄ２１０の配線長さの差は、最大Ｐｄ２の寸法であり、同様にＬを上回らない。超精細表示装置の様に、データ用配線領域Ｐｄ１もしくはデータ用配線領域Ｐｄ２の全範囲にデータ用配線ｄｎが集結する場合においても、各データ用配線ｄｎ間の配線長さの差はＬを上回らない。
【００４５】
さらに、図３（ａ）および図３（ｂ）を用いて本発明のマトリックス光学装置である液晶光学装置５０の効果を説明する。図３（ａ）は本発明のマトリックス光学装置である液晶光学装置５０におけるデータ用配線ｄｎを、ターミナル部Ｔを用い配線群ＨＢに集中配置して引き回した状態を模式的に示す平面図であり、図３（ｂ）は、ターミナル部Ｔを設けず、接続端子群ＰＤから片側にすべてのデータ用配線を中継点Ｃを経由して引き回した状態を模式的に示す平面図である。
【００４６】
本発明の構成を示す図３（ａ）と図３（ｂ）とを比較すると、接続端子群ＰＤからデータ駆動回路４００までの、各データ用配線ｄｎの配線の長さの差は、図３（ｂ）では約２Ｌである。
【００４７】
一方、図３（ａ）に示す本発明の液晶光学装置５０においては、接続端子群ＰＤからデータ駆動回路４００までの、各データ用配線ｄｎの配線の長さの差は、約Ｌであり、図３（ｂ）の構成より５０％改善している。すなわち本発明による効果は、各データ用配線ｄｎの長さの差が大幅に減少するので、各画素に書き込む画素データの位相差ないし時間差が減少し表示画質が向上する。
【実施例２】
【００４８】
本発明のマトリックス光学装置の第２の実施形態は、高精細の光学装置等において多数のデータ用配線に対応するため、外部より画素データを供給する接続端子群を、第１端子群と第２端子群とに分割するものである。
【００４９】
さらに、第１端子群の中央位置近傍に第１端子群からのデータ用配線をまとめる第１ターミナル部を設け、第２端子群の中央位置近傍に第２端子群からのデータ用配線をまとめる第２ターミナル部設け、さらに第１ターミナル部と第２ターミナル部を経由した配線群とをまとめる第３ターミナル部を新たに設ける。
【００５０】
この第３ターミナル部を経由して、全てのデータ用配線を集中して引き回しデータ駆動回路に接続するように構成することによって、各データ用配線間すなわち各画素データ間の位相差ないし時間差を減少させ画質の改善を計るものである。
【００５１】
さらに第３ターミナル部は、第１ターミナル部と第２ターミナル部との、中間位置近傍に設けられていることが特徴である。
【００５２】
図４を用いてさらに詳述する。図４は本発明のマトリックス光学装置である液晶光学装置６０の第２の実施形態の構成を示す平面図である。図４に示す様に、高精細の光学装置等において多量のデータ用配線ｄ１からｄ４２０を備える場合は、接続端子群ＰＤを接続端子群ＰＤ１ｄ１〜ｄ２１０および接続端子群ＰＤ２ｄ２１１〜ｄ４２０の様に２個に分割し、下基板１００の各々隣り合う２辺に配設する。
【００５３】
さらに接続端子群ＰＤ１および接続端子群ＰＤ２からのデータ用配線ｄ１〜ｄ２１０およびデータ用配線ｄ２１１〜ｄ４２０の各々を、各々の接続端子群の略中央部に一括して集中配置する。配線群ＨＢ１の集中配置部を第１ターミナル部Ｔ１、配線群ＨＢ２の集中配置部を第２ターミナル部Ｔ２とする。
【００５４】
さらに、接続端子群ＰＤ１および接続端子群ＰＤ２の略中央部に第３のターミナル部Ｔ３を設け、配線群ＨＢ１および配線群ＨＢ２をターミナル部Ｔ３によって配線群ＨＢ３としてさらに集中配置し、ゲート駆動回路に至るまで一括して引き回す。ここで、配線群ＨＢ１、配線群ＨＢ２及び配線群ＨＢ３は、太線で図示したが、図１で図示した配線群ＨＢと同じく、複数のデータ用配線を簡略して示すものである。本実施例では、配線群ＨＢ１及び配線群ＨＢ２は、それぞれ２１０本のデータ用配線で、配線群ＨＢ３は、４２０本のデータ用配線で構成される。
【００５５】
このように第１ターミナル部Ｔ１および第２ターミナル部Ｔ２の略中央部にターミナルＴ３を配置し、配線群ＨＢ１および配線群ＨＢ２の配線距離を等しくして配線群ＨＢ３としてデータ駆動回路４００に入力し、画素データ間の位相差ないし時間差を減少し画質を向上させる。
【００５６】
（製造方法の説明）
次に図５、図６により本発明における第２の実施形態のマトリックス光学装置６０の構成及びその集合工法による製造方法について説明する。
【００５７】
図５は完成したマトリックス表示装置である液晶光学装置６０の単個の構成を示す平面図である。また図６は大判のシリコン基板と大判のガラス基板を用いた集合工法による製造過程を示す平面図である。
【００５８】
図５において、液晶光学装置６０は、光学部２００と、パッド部（接続端子群）７００と、各半導体回路及び各配線（図示せず）を設けたシリコン基板である下基板１００上の光学部の周囲にシール部５００を形成し、このシール部５００内に液晶を注入した後、下基板１００と同じサイズのガラス基板６００を重ね合わせ、シール部５００をＵＶ照射等によって硬化させることにより、下基板１００とガラス基板６００とを接着して液晶光学装置６０が構成されている。
【００５９】
また、液晶光学装置６０は下基板１００とガラス基板６００とを対角線方向に少しずらせて接着することにより、下基板１００の直交する２辺を露出させて、この露出部分に２個のパッド部（接続端子群）を設けるようにしている。
【００６０】
次に、図６（ａ）、図６（ｂ）により、液晶光学装置の集合工法による製造方法について説明する。図６（ａ）は液晶光学装置６０を集合工法にて製造方法する状態を示す大判シリコン基板１０１の平面図と、大判ガラス基板６０１の平面図である。
【００６１】
図６（ａ）は、図５に示す液晶光学装置６０における各要素を設けた下基板１００を複数個形成した大判シリコン基板１０１と、この大判シリコン基板と同じサイズの大判ガラス基板６０１を用意し、この大判シリコン基板と大判ガラス基板とを、図５に示すシリコン基板１００とガラス基板６００とのずれ量と同じ量だけ対角線方向にずらせて接着した状態である。
【００６２】
そして、大判シリコン基板１０１と大判ガラス基板６０１との接着体を切断ラインＡ（実線で示す）に沿って大判シリコン基板１０１を切断し、また切断ラインＢ（点線で示す）に沿って大判ガラス基板６０１を切断することにより、図６（ｂ）に示す液晶光学装置６０が量産される。
【００６３】
上記の如く、本発明における液晶光学装置６０の集合工法においては、同じサイズの大判シリコン基板１０１と大判ガラス基板６０１とを用いて、大判シリコン基板１０１と大判ガラス基板６０１との両者に無駄な切断部分を生じることが無いので、液晶光学装置６
０を効率良く量産することができる。
【００６４】
しかも液晶光学装置６０の２辺にパッド部（接続端子群）を設けるための露出部分を形成することができる。すなわち本発明はこのように効率良く製造された液晶光学装置６０において、直交する２辺に設けられた２個のパッド部７００からの配線を工夫したものである。
【００６５】
以上述べた様に本発明の液晶光学装置６０においては、複数のデータ用配線の各々半分が第１ターミナル部Ｔ１及び第２ターミナル部Ｔ２で各々一括して配線群としてまとめられ、さらに２個の配線群は新たに設けられた第３ターミナル部Ｔ３によって１個の配線群として集中配置し引き回されるので、各画素データ信号間の位相差ないし時間差が減少し液晶光学装置の表示品質が向上する。
【００６６】
なお第１〜第３ターミナル部Ｔ１〜Ｔ３の位置に出力用のバッファー回路を設け、信号の強化を計ることも、表示品質をさらに向上する上で有力な手法である。
【００６７】
以上述べた用に本発明のマトリックス光学装置によれば、簡便な手法でコストの増大を招くこともなく、データ信号間すなわち各画素データ間の位相差ないし時間差を減少させ、液晶光学装置の画質を向上させる事が可能となり、液晶光学装置や反射型もしくは透過型プロジェクタの表示デバイスとして極めて有用である
【符号の説明】
【００６８】
１Ａ、１Ｂ  表示領域
１Ｃ  分割境界線
３  ダミー配線
５  信号入力部
７  付加容量部
８Ａ、８Ｂ  データ用配線群
１０  表示デバイス
５０、６０  液晶光学装置（マトリックス光学装置）
１００  下基板
１０１  大判シリコン基板
２００  光学部
３００  ゲート駆動回路
４００  データ駆動回路
５００  シール部
６００  ガラス基板
６０１  大判ガラス基板
７００  パッド部
Ｃ  中継点
ＧＡ  画素アレイ
Ｔ  ターミナル部
Ｔ１、Ｔ２，Ｔ３  第１、第２、第３ターミナル部
ＰＤ  接続端子群
ＰＤ１、ＰＤ２  第１、第２端子群
ＰＤＣ  中央部
Ｐｄｓ  コントロール線領域
Ｐｄ１、Ｐｄ２  データ用配線領域  
ｄ、ｄ１，ｄ２、・・・ｄｎ  データ用配線
ｄｃ  データコントロール線
ｇ、ｇｃ  ゲート線
ＫＳ  切替信号制御回路
ＨＢ、ＨＢ１、ＨＢ２、ＨＢ３  配線群
ｈｍ  引回部
ＳＧ  制御回路
ＴＧ１、ＴＧ２、・・、ＴＧｎ  トランスミッションゲート回路
Ｓ１、Ｓ２、・・Ｓｎ  制御回路素子
ＳＣＫ１、ＳＣＫ２  クロック信号
ＳＤ１、ＳＤ２  データ線駆動回路
ＧＰ、ＧＳ  画素
Ｃｍ  記憶容量
Ｃｅ  液晶分子等価容量
ｓｂ  制御信号
ｄｓ、ｄｅ  データ用配線
【図１】
2014191174.tif 000003
【図２】
2014191174.tif 000004
【図３】
2014191174.tif 000005
【図４】
2014191174.tif 000006
【図５】
2014191174.tif 000007
【図６】
2014191174.tif 000008
【図７】
2014191174.tif 000009
【図８】
2014191174.tif 000010
【図９】
2014191174.tif 000011
【図１０】
2014191174.tif 000012